(57)【要約】【課題】プレビュー用のフレーム画像を効率的に配信し、高解像度のフレーム画像と撮影画像とを合成する撮影画像データ処理システムを提供する。【解決手段】本発明の撮影画像処理システム１によると、放送局２が、プレビュー用のフレーム画像を、地上波デジタル放送のデータ放送として送信する。通信端末装置１０のユーザは、プレビュー用のフレーム画像を選択し、画像サーバ４に高解像度フレーム画像の取得要求を送信する。プレビュー用のフレーム画像を低解像度とすることにより、データ放送で送信することが可能となり、またデータ放送で送信することにより、ユーザはプレビュー用のフレーム画像を無料で取得することが可能となる。【選択図】        図１
2004304309.tif 000002
【特許請求の範囲】
【請求項１】
第１画像データと、該第１画像データに対応する第２画像データをネットワーク上で識別するための識別子とをデータ放送信号から取得する第１取得部と、
第１画像を表示する表示部と、
表示された第１画像の選択指示を受け付ける入力受付部と、
識別子を用いて、第１画像データに対応する第２画像データの取得要求をネットワーク上のサーバに送信する送信部と、
前記サーバから第２画像データを取得する第２取得部と、
を備えることを特徴とする通信端末装置。
【請求項２】
前記第２取得部は、前記サーバから、当該通信端末装置が要求する解像度をもつ第２画像データを取得することを特徴とする請求項１に記載の通信端末装置。
【請求項３】
前記第１取得部が、第１画像データよりも高い複数の解像度をもつ第２画像データをネットワーク上でそれぞれ識別するための複数の識別子を取得し、
前記送信部が、当該通信端末装置が要求する解像度をもつ第２画像データに設定された識別子を用いて、前記サーバに第２画像データの取得要求を送信することを特徴とする請求項２に記載の通信端末装置。
【請求項４】
前記送信部は、前記サーバに、第２画像データの取得要求とともに、当該通信端末装置が要求する解像度を送信することを特徴とする請求項２に記載の通信端末装置。
【請求項５】
撮影した撮影画像データを格納する格納部をさらに備え、
要求する解像度は、撮影画像データの解像度に合致するように定められることを特徴とする請求項２から４のいずれかに記載の通信端末装置。
【請求項６】
第１画像データと、ネットワーク上のサーバのアドレスとをデータ放送信号から取得する取得部と、
第１画像を表示する表示部と、
撮影した撮影画像データを格納する格納部と、
表示された第１画像の選択指示を受け付ける入力受付部と、
ネットワーク上のサーバのアドレスに、選択した第１画像データを識別するための情報と、撮影画像データとを送信する送信部と、
を備えることを特徴とする通信端末装置。
【請求項７】
第１画像データまたは第２画像データはフレーム画像データであって、
前記フレーム画像データと撮影画像データとを合成して、フレーム付画像を生成する合成部と、
を備えることを特徴とする請求項５または６に記載の通信端末装置。
【発明の詳細な説明】
【０００１】
【発明の属する技術分野】
本発明は画像データの送受信技術に関し、特に放送と通信を融合した画像データの送受信技術に関する。
【０００２】
【従来の技術】
写真を撮影してフレームを合成し、シールやポストカードに加工して販売する装置が普及している。ユーザは装置内に用意されている数種類のフレーム画像を閲覧し、その中から任意のフレーム画像を選択する。それから、フレーム画像を装置のモニタに表示した状態で、装置に取り付けられたカメラを用いてフレーム内に収まるように顔写真などを撮影する。ユーザは、必要により、ペン入力でテキストや模様を入力するなどして、フレーム付画像を完成させる。ユーザは、完成したフレーム付画像を装置のプリンタを用いてシールやポストカードに加工する。
【０００３】
このような装置は主にゲームセンターや観光地等に欠かせない娯楽端末装置として広く普及しているが、この装置を使用するためには、当然のことではあるが、この装置の設置場所を探さなければいけない。また、フレーム画像の選択肢も装置内に用意されているものに限定されており、そのアップデートや保守は容易でない。
【０００４】
これに対して、カメラ付携帯電話などの撮影端末とインターネット通信網を組み合わせたシステムを提案するものがある（例えば、特許文献１参照。）。これは携帯端末や家庭の端末などでインターネットのＷｅｂブラウザを立ち上げ、その中でフレーム画像をダウンロードして画像を合成するというものである。作成した画像はサーバにアップロードし、携帯電話に転送して待受け画面として使用することができ、またシールやポストカード等を作成する有料サービスの提供も提案されている。
【０００５】
【特許文献１】
特開２００２−１４２２１１号公報
【０００６】
【発明が解決しようとする課題】
しかしながら、特許文献１で提案されるサービスをカメラ付携帯電話等の携帯端末で利用するには、フレーム画像を閲覧する時点からインターネットに接続する必要がある。近年のＡＤＳＬ（Ａｓｙｍｍｅｔｒｉｃ  Ｄｉｇｉｔａｌ  Ｓｕｂｓｃｒｉｂｅｒ  Ｌｉｎｅ）やＦＴＴＨ（Ｆｉｂｅｒ  Ｔｏ  Ｔｈｅ  Ｈｏｍｅ）の普及により、家庭内のインターネット接続は常時接続、定額制が一般的となっているが、携帯端末の通信料金は従量制が一般的であるため、フレーム画像を閲覧するだけで料金が発生することになると、ユーザのコスト負担が大きくなる。また、フレーム画像と写真を合成する場合、フレーム画像と写真の解像度とが合っていなければ、印刷出力時にギザが発生するなど好ましくない事態が発生することがある。撮影に使用されるカメラの解像度には様々なものが想定されるが、特許文献１は、そのことに関して開示するものではない。
【０００７】
本発明は、そうした課題に鑑みてなされたものであり、その目的は、ユーザのコストメリットを実現するべく、放送と通信を融合して画像データを送受信する技術を提供することにある。また、本発明の別の目的は、ユーザが簡易に画像データの処理を行うことのできる通信端末装置を提供することにある。
【０００８】
【課題を解決するための手段】
上記課題を解決するために、本発明のある態様は、通信端末装置に関する。この態様の通信端末装置は、第１画像データと、該第１画像データに対応する第２画像データをネットワーク上で識別するための識別子とをデータ放送信号から取得する第１取得部と、第１画像を表示する表示部と、表示された第１画像の選択指示を受け付ける入力受付部と、識別子を用いて、第１画像データに対応する第２画像データの取得要求をネットワーク上のサーバに送信する送信部と、サーバから第２画像データを取得する第２取得部とを備える。例えば、第１画像はプレビュー用の画像であり、第２画像は、それよりも高解像度の画像であってよい。この態様の通信端末装置によると、第１画像データを放送信号から取得することにより、通信回線を利用する場合と比べてコストを下げることが可能となる。また、通信端末装置を用いて画像を選択することができるため、従来の固定型の画像処理装置を探す必要もない。
【０００９】
第２取得部は、サーバから、当該通信端末装置が要求する解像度をもつ第２画像データを取得することが好ましい。第１取得部が、第１画像データよりも高い複数の解像度をもつ第２画像データをネットワーク上でそれぞれ識別するための複数の識別子を取得し、送信部が、当該通信端末装置が要求する解像度をもつ第２画像データに設定された識別子を用いて、サーバに第２画像データの取得要求を送信してもよい。送信部は、サーバに、第２画像データの取得要求とともに、当該通信端末装置が要求する解像度を送信してもよい。
【００１０】
通信端末装置は、撮影した撮影画像データを格納する格納部をさらに備え、要求する解像度は、撮影画像データの解像度に合致するように定められることが好ましい。
【００１１】
本発明の別の態様は、通信端末装置に関する。この態様の通信端末装置は、第１画像データと、ネットワーク上のサーバのアドレスとをデータ放送信号から取得する取得部と、第１画像を表示する表示部と、撮影した撮影画像データを格納する格納部と、表示された第１画像の選択指示を受け付ける入力受付部と、ネットワーク上のサーバのアドレスに、選択した第１画像データを識別するための情報と、撮影画像データとを送信する送信部とを備える。この態様の通信端末装置によると、第１画像データを放送信号から取得することにより、通信回線を利用する場合と比べてコストを下げることが可能となる。また、通信端末装置を用いて画像を選択することができるため、従来の固定型の画像処理装置を探す必要もない。
【００１２】
上記した２つの態様の通信端末装置は、第１画像データまたは第２画像データがフレーム画像データである場合に、フレーム画像データと撮影画像データとを合成して、フレーム付画像を生成する合成部をさらに備えてもよい。
【００１３】
なお、以上の構成要素の任意の組合せ、本発明の表現を方法、装置、システム、などの間で変換したものもまた、本発明の態様として有効である。
【００１４】
【発明の実施の形態】
＜第１の実施の形態＞
図１は、本発明の実施の形態に係る撮影画像処理システム１の構成を示す。撮影画像処理システム１では、通信端末装置１０が地上波デジタル放送用のアンテナおよびチューナを有し、放送局２から放送される地上波デジタル放送信号を受信する。通信端末装置１０は、カメラなどの撮像部を内蔵したカメラ付携帯電話機のような構成を有してもよく、またカメラが連結される構成を有してもよい。なお放送局２は、地上波デジタル放送だけでなく、衛星放送や地上波アナログ放送を放送してもよく、その場合、通信端末装置１０は、放送に対応したアンテナおよびチューナを有する。また通信端末装置１０は無線通信機能を有し、基地局３との間で通信回線を確立して、通信信号を通信する。通信端末装置１０は、基地局３との間に通信回線を確立することで、インターネットなどのネットワーク９上の画像サーバ４との間でデータの授受を行うことが可能となる。画像サーバ４は画像データベース５を備え、画像データベース５は、通信端末装置１０が保有または撮影する撮影画像用のフレーム画像データを保持している。
【００１５】
第１の実施の形態では、放送局２が、プレビュー用のフレーム画像を、地上波デジタル放送のデータ放送として送信する。通信端末装置１０のユーザは、プレビュー用の複数のフレーム画像を受け取り、その中から自分の好みに合ったものを選択する。実施の形態では、プレビュー用のフレーム画像を本来のフレーム画像よりも低解像度として情報量を落とすことにより、狭帯域のデータ放送で送信することが可能となる。また、データ放送の受信は基本的に無料であるため、ユーザはプレビュー用のフレーム画像を取得して選択する時点では料金が発生していないことになり、ユーザのコストメリットを実現することが可能となる。さらに、地上波デジタル放送は、地域によって異なる放送を行うため、プレビュー用のフレーム画像に地域性をもたせることも可能となる。また、時間限定のプレビュー用フレーム画像や番組に連動したプレビュー用フレーム画像なども送信することができ、撮影画像処理サービスとしての付加価値が向上する。
【００１６】
ユーザが選択したフレーム画像の取得要求が、基地局３からネットワーク９を介して画像サーバ４に伝達される。画像サーバ４は、プレビュー用フレーム画像に対応する高解像度のフレーム画像を画像データベース５に保持しており、取得要求を受けて、通信端末装置１０が要求する解像度をもつフレーム画像を通信端末装置１０に送信する。以下、プレビュー用のフレーム画像を「プレビュー画像」と呼び、画像データベース５に保持されるフレーム画像を、単に「フレーム画像」と呼ぶことにする。通信端末装置１０は、画像サーバ４からフレーム画像を取得して、撮影画像と合成したフレーム付画像を生成する。データ放送で放送するプレビュー画像はあくまでも低解像度とし、合成に使用する高解像度のフレーム画像は、ネットワーク９上の画像サーバ４の画像データベース５に記録されているものを使用する。この撮影画像処理システム１によると、プレビューでフレーム画像を選択する際には料金が発生せず、プレビュー画像を選択して、高解像度のフレーム画像を取得したときに初めて料金が発生することになり、適切な課金システムを構築することができる。
【００１７】
通信端末装置１０は、合成したフレーム付画像を、印刷サービス提供主体により管理される印刷端末装置６に送信して、印刷端末装置６がシールやポストカードに加工してもよく、また自宅のＰＣ（パーソナルコンピュータ）７に送信して、後にプリンタ８で印刷してもよい。また通信端末装置１０は、フレーム付画像を待受け画像として使用することも可能である。
【００１８】
図２は、通信端末装置１０の構成を示す。通信端末装置１０は、放送アンテナ１２、地上波デジタルチューナ１４、データ放送信号取得部１６、処理部１８、表示部２０、通信アンテナ３０、通信部３２、画像データ取得部３８、撮像部４０、入力受付部４２、合成部４４、画像データ格納部４６およびサイズ情報格納部４８を備える。画像データ格納部４６は、撮像部４０により撮影された撮影画像データを格納する。サイズ情報格納部４８は、撮像部４０による撮影画像の解像度を格納する。通信部３２は、通信信号送信部３４および通信信号受信部３６を有する。
【００１９】
放送局２は、プレビュー画像データと、プレビュー画像データに対応するフレーム画像データのＵＲＬ（Ｕｎｉｆｏｒｍ  Ｒｅｓｏｕｒｃｅ  Ｌｏｃａｔｏｒ）とを、データ放送により放送する。なお、ＵＲＬは、フレーム画像データをネットワーク９上で識別するための識別子の一例であり、識別子としてはＵＲＬだけでなく、他の識別子であってもよい。フレーム画像データのＵＲＬは、画像サーバ４における画像データベース５の格納位置を特定する。放送局２は、プレビュー画像データと、フレーム画像データのＵＲＬとを繰り返し放送する。なお、放送局２は、所定の周期でデータをアップデートしてもよい。
【００２０】
通信端末装置１０において、放送アンテナ１２が地上波デジタル放送を受信する。地上波デジタルチューナ１４が所定の放送局を選局することにより、データ放送信号取得部１６が、データ放送に含まれるプレビュー画像データと、対応するフレーム画像データのＵＲＬを取得する。処理部１８は、プレビュー画像データと、フレーム画像データのＵＲＬを受けて、プレビュー画像データの表示処理を行う。なお、処理部１８は、表示部２０にプレビュー画像と、フレーム画像のＵＲＬとを表示してもよく、またプレビュー画像のみを表示して、プレビュー画像にフレーム画像のリンクをはっておいてもよい。プレビュー画像データの解像度は低いため、処理部１８は、例えば表示部２０を４分割するなどして、複数種類のプレビュー画像を表示部２０に一度に表示してもよい。
【００２１】
ユーザは表示部２０を通じてプレビュー画像を閲覧し、操作キーなどを操作して、好みのプレビュー画像を選択する。入力受付部４２はユーザの操作入力によるプレビュー画像の選択指示を受け付け、処理部１８に伝達する。処理部１８は選択指示を受け、選択されたプレビュー画像に対応するフレーム画像の取得要求を生成し、通信信号送信部３４は、そのフレーム画像のＵＲＬを用いて、通信アンテナ３０からフレーム画像の取得要求をネットワーク９上の画像サーバ４に送信する。
【００２２】
画像サーバ４は、送信されたＵＲＬをもとに、画像データベース５に格納されたフレーム画像データを読み出し、ネットワーク９を介して通信端末装置１０に送信する。通信信号受信部３６は、通信アンテナ３０から、画像サーバ４により送信されたフレーム画像データを受信し、画像データ取得部３８が、フレーム画像データを取得する。
【００２３】
画像データ格納部４６は、撮像部４０で撮影された撮影画像データを格納する。合成部４４は、撮影画像データを画像データ格納部４６から取り出し、取得したフレーム画像と合成して、フレーム付画像データを生成する。フレーム付画像データは、画像データ格納部４６に記憶される。なお、撮像部４０による撮影のタイミングは、フレーム画像データを取得した後であってもよく、この場合には、フレーム画像を表示部２０に表示した状態で写真を撮影し、合成部４４がフレーム付画像データを生成することになる。ユーザは、入力受付部４２を介してフレーム付画像にメッセージを入力したり、ペン入力でテキストや模様を入力することができる。
【００２４】
以下では、フレーム画像の解像度を考慮して、フレーム画像をダウンロードする方法を説明する。フレーム画像の解像度は、通信端末装置１０が要求する解像度に合わせられる。上記のごとく、実施の形態では撮影画像とフレーム画像とを合成するため、通信端末装置１０は、撮像部４０による撮影画像の解像度に合致するように、フレーム画像の解像度を要求する。
【００２５】
図３は、通信端末装置１０がフレーム画像をダウンロードするシーケンス図を示す。放送局２が、通信端末装置１０にプレビュー画像データと、プレビュー画像データに対応し且つプレビュー画像データよりも高い複数の解像度をもつフレーム画像データのそれぞれの格納位置を特定する複数のＵＲＬをデータ放送で送信する（Ｓ１０）。複数の解像度をもつフレーム画像データは、様々な通信端末装置１０により要求される解像度に応じることができるように、画像サーバ４において予め用意されており、またそれぞれにＵＲＬを設定されている。
【００２６】
通信端末装置１０において、データ放送信号取得部１６が、放送アンテナ１２および地上波デジタルチューナ１４を介して、プレビュー画像データおよび対応する複数の高解像度のフレーム画像データのＵＲＬを取得する。処理部１８はプレビュー画像を表示部２０に表示させ（Ｓ１２）、ユーザは、入力受付部４２を介して、ダウンロードを希望するプレビュー画像を選択する（Ｓ１４）。
【００２７】
処理部１８は、サイズ情報格納部４８から、撮像部４０による撮影画像の解像度を取得する。処理部１８は、プレビュー画像に対応付けられたＵＲＬの中から、撮影画像の解像度に応じたＵＲＬを自動的に選択し（Ｓ１４）、選択したＵＲＬを通信信号送信部３４から画像サーバ４に送信させる（Ｓ１６）。
【００２８】
画像サーバ４は、通信端末装置１０から送信されたＵＲＬをもとに、画像データベース５から対応するフレーム画像データを読み出し（Ｓ１８）、通信端末装置１０に送信する（Ｓ２０）。通信端末装置１０において、画像データ取得部３８が、通信アンテナ３０および通信信号受信部３６を介してフレーム画像データを取得し、合成部４４が、撮影画像とフレーム画像とを合成する（Ｓ２２）。以上により、通信端末装置１０は、撮影画像の解像度に合致した解像度をもつフレーム画像を取得することができ、フレーム画像と撮影画像とを適切に合成することができる。
【００２９】
図４は、通信端末装置１０がフレーム画像をダウンロードするシーケンス図の別の例を示す。放送局２が、通信端末装置１０にプレビュー画像データと、プレビュー画像データに対応するフレーム画像データのＵＲＬをデータ放送で送信する（Ｓ３０）。
【００３０】
通信端末装置１０において、データ放送信号取得部１６が、放送アンテナ１２および地上波デジタルチューナ１４を介して、プレビュー画像データと、対応するフレーム画像データのＵＲＬを取得する。処理部１８はプレビュー画像を表示部２０に表示させ（Ｓ３２）、ユーザは、入力受付部４２を介して、ダウンロードを希望するプレビュー画像を選択する（Ｓ３４）。
【００３１】
処理部１８は、サイズ情報格納部４８から、撮像部４０による撮影画像の解像度を取得し、選択したＵＲＬと撮影画像の解像度を、通信信号送信部３４から画像サーバ４に送信させる（Ｓ３６）。
【００３２】
画像サーバ４は、通信端末装置１０から送信されたＵＲＬをもとに、画像データベース５から対応するフレーム画像データを読み出し（Ｓ３８）、フレーム画像データのサイズを、送信された撮影画像の解像度をもとに調整する（Ｓ４０）。このとき、画像データベース５には、非常に高解像度のフレーム画像データが格納されており、画像サーバ４は、このフレーム画像データを常に縮小する方向に調整することが好ましい。なお、画像サーバ４が、複数の解像度をもつフレーム画像データを予め用意している場合には、撮影画像の解像度をもとに、対応する解像度をもつフレーム画像データを選択してもよい。画像サーバ４は、撮影画像に合致した解像度をもつフレーム画像データを通信端末装置１０に送信する（Ｓ４２）。通信端末装置１０において、画像データ取得部３８が、通信アンテナ３０および通信信号受信部３６を介してフレーム画像データを取得し、合成部４４が、撮影画像とフレーム画像とを合成する（Ｓ４４）。以上により、通信端末装置１０は、撮影画像の解像度に合致した解像度をもつフレーム画像を取得することができ、フレーム画像と撮影画像とを適切に合成することができる。
【００３３】
＜第２の実施の形態＞
第２の実施の形態では、通信端末装置１０がフレーム画像をダウンロードするのではなく、通信端末装置１０が撮影画像データをネットワーク９上の画像サーバ４にアップロードすることによって、画像サーバ４が、撮影画像データとフレーム画像データとを合成したフレーム付画像を生成する。画像サーバ４で合成したフレーム付画像は、画像サーバ４から印刷端末装置６に送られてもよく、さらに自宅のＰＣ（パーソナルコンピュータ）７に送られて、プリンタ８から印刷されてもよい。また、知人にフレーム付画像を見せる場合には、画像サーバ４においてフレーム付画像に設定されたＵＲＬを知人の携帯端末に送ることで、知人はそのＵＲＬにアクセスし、フレーム付画像を見ることが可能となる。
【００３４】
第２の実施の形態では、放送局２が、プレビュー画像と、撮影画像データをネットワーク９上の画像サーバ４にアップロードするためのアドレスとを、地上波デジタル放送のデータ放送として送信する。以下では、ＵＲＬをアドレスの例とする。
【００３５】
通信端末装置１０において、放送アンテナ１２が地上波デジタル放送を受信する。地上波デジタルチューナ１４が所定の放送局を選局することにより、データ放送信号取得部１６が、プレビュー画像データと、ネットワーク９上の画像サーバ４のアドレスをデータ放送信号から取得する。処理部１８は、プレビュー画像データを受けて、プレビュー画像を表示部２０に表示させる表示処理を行う。
【００３６】
ユーザは、プレビュー画像を表示した状態で、撮像部４０により写真を撮影することができる。処理部１８は、表示部２０のフレームとなるように低解像度のプレビュー画像を拡大してもよく、ユーザは、プレビュー画像によるフレームを表示した状態で、フレームとの位置合わせを行いながら、写真を撮影することができる。また、既に画像データ格納部４６に格納されている撮影画像データに対してフレームを選択する場合には、プレビュー画像によるフレームを表示した状態で、撮影画像を表示部２０に表示させてもよい。処理部１８が、プレビュー画像によるフレームと撮影画像とを仮合成することにより、ユーザは、フレーム画像が撮影画像に相応しいか否かの確認することができる。
【００３７】
ユーザは表示部２０を通じてプレビュー画像を閲覧し、操作キーなどを操作して、好みのプレビュー画像を選択する。入力受付部４２はプレビュー画像の選択指示を受け付け、処理部１８に伝達する。処理部１８は選択指示を受け、選択されたフレーム画像の識別子を取得する。処理部１８は、データ放送信号取得部１６において取得された画像サーバ４のＵＲＬに、選択したフレーム画像の識別子と撮影画像データとを通信信号送信部３４から送信させる。画像サーバ４は、フレーム画像の識別子をもとに、画像データベース５から対応するフレーム画像を取り出して、撮影画像とフレーム画像とを合成する。
【００３８】
なお画像サーバ４は、フレーム画像データの解像度を、撮影画像データの解像度に合わせるため、複数の解像度をもつフレーム画像データの中から、対応する解像度をもつフレーム画像データを選択してもよいし、またフレーム画像データを拡大または縮小してサイズ調整を行ってもよい。
【００３９】
図５は、通信端末装置１０が撮影画像を画像サーバ４にアップロードするシーケンス図を示す。放送局２が、通信端末装置１０にプレビュー画像データと、画像サーバ４のＵＲＬとをデータ放送で送信する（Ｓ５０）。
【００４０】
通信端末装置１０において、データ放送信号取得部１６が、プレビュー画像データおよび画像サーバ４のＵＲＬを取得する。処理部１８はプレビュー画像を表示部２０に表示させ（Ｓ５２）、ユーザは、入力受付部４２を介して、ダウンロードを希望するプレビュー画像を選択する（Ｓ５４）。
【００４１】
処理部１８は、撮影画像データを画像データ格納部４６から読み出して、選択したプレビュー画像データの識別子とともに、通信信号送信部３４から画像サーバ４に送信させる（Ｓ５６）。
【００４２】
画像サーバ４は、通信端末装置１０から送信されたプレビュー画像データの識別子をもとに、画像データベース５から対応するフレーム画像データを読み出す（Ｓ５８）。プレビュー画像に対して複数の解像度をもつフレーム画像が画像データベース５に格納されている場合には、画像サーバ４は、撮影画像データの解像度に合ったものを選択して取り出す。一方、画像データベース５に１種類の解像度のフレーム画像データしか格納されていない場合には、そのフレーム画像データを拡大または縮小してサイズ調整を行う。画像サーバ４は、サイズを合わせたフレーム画像と撮影画像とを合成する（Ｓ６０）。
【００４３】
以上、本発明を複数の実施の形態をもとに説明した。この実施の形態は例示であり、それらの各構成要素や各処理プロセスの組合せにいろいろな変形が可能なこと、またそうした変形例も本発明の範囲にあることは当業者に理解されるところである。
【００４４】
実施の形態では、撮影画像データとフレーム画像とを合成する例について説明したが、本発明は、例えば待受け画像などの画像データの配信にも利用することができる。待受け画像の配信であっても、上記した例と同様に、まずプレビュー画像をデータ放送により送信し、ユーザがプレビュー画像を選択することにより、通信回線を利用して、通信端末装置１０の表示部２０のサイズに応じた待受け画像を取得できることになる。待受け画像の配信に本発明を利用する場合には、通信端末装置１０が画像サーバ４に要求する解像度は、表示部２０の解像度に設定されてもよい。当然ではあるが、待受け画像の配信以外にも本発明を適用することは可能である。
【００４５】
【発明の効果】
本発明によれば、放送と通信を融合した画像データの送受信技術を提供することが可能となる。
【図面の簡単な説明】
【図１】実施の形態に係る撮影画像処理システムの構成を示す図である。
【図２】通信端末装置の構成を示す図である。
【図３】通信端末装置がフレーム画像をダウンロードするシーケンスの一例を示す図である。
【図４】通信端末装置がフレーム画像をダウンロードするシーケンスの別の例を示す図である。
【図５】通信端末装置が撮影画像をアップロードするシーケンスを示す図である。
【符号の説明】
１・・・撮影画像処理システム、２・・・放送局、３・・・基地局、４・・・画像サーバ、５・・・画像データベース、６・・・印刷端末装置、７・・・ＰＣ、８・・・プリンタ、９・・・ネットワーク、１０・・・通信端末装置、１２・・・放送アンテナ、１４・・・地上波デジタルチューナ、１６・・・データ放送信号取得部、１８・・・処理部、２０・・・表示部、３０・・・通信アンテナ、３２・・・通信部、３４・・・通信信号送信部、３６・・・通信信号受信部、３８・・・画像データ取得部、４０・・・撮像部、４２・・・入力受付部、４４・・・合成部、４６・・・画像データ格納部、４８・・・サイズ情報格納部。
【図１】
2004304309.tif 000003
【図２】
2004304309.tif 000004
【図３】
2004304309.tif 000005
【図４】
2004304309.tif 000006
【図５】
2004304309.tif 000007